(57)【要約】 【課題】従来の顧客管理では、顧客のデータは顧客集客のためのダイレクトメールを送る住所管理などには使えたが、目の前にいる顧客本人に美容や医療やその他サービス又は処置を施したときの状態を見せるような用途には使うことができなかった。【解決手段】タブレット型コンピューターを用いて行う顧客管理システムにおいて、タブレット型コンピューターには顧客の画像を入力する画像入力手段２と、顧客管理情報及び画像のデータを蓄積できる記憶部４と、画像入力手段２で撮像した画像を加工する加工手段７と、加工手段７で加工した画像を表示する表示手段３と、表示手段３で表示した表示部分に操作を行うためのタッチパネル６を有し、画像入力手段２で撮像した又は加工手段７で加工した複数の画像を顧客管理情報に関連付けてタブレット型コンピューターに表示できることを特徴とする。【選択図】図２
2014115984.tif 000002
【特許請求の範囲】
【請求項１】
タブレット型コンピューターを用いて行う顧客管理システムにおいて、前記タブレット型コンピューターには顧客の画像を入力する画像入力手段と、顧客管理情報及び画像のデータを蓄積できる記憶部と、前記画像入力手段で撮像した画像を加工する加工手段と、前記加工手段で加工した画像を表示する表示手段と、前記表示手段で表示した表示部分に操作を行うためのタッチパネルを有し、前記画像入力手段で撮像した又は前記加工手段で加工した複数の画像を顧客管理情報に関連付けて前記タブレット型コンピューターに表示できることを特徴とする画像比較機能を備えた顧客管理システム。
【請求項２】
前記画像入力手段で撮像した現在の撮像画像を表示手段で表示し、また、既存の画像を加工手段で透過画像として加工し、前記透過画像を前記表示手段で表示して、現在撮像しようとしている画像と前記表示手段上に重ねて画像を取り込むようにした請求項1に記載の画像比較機能を備えた顧客管理システム。
【請求項３】
前記画像入力手段はタブレット型コンピューターの表示手段の反対側にある画像入力手段とした請求項２に記載の画像比較機能を備えた顧客管理システム。
【請求項４】
前記画像入力手段はタブレット型コンピューター以外の外部の画像入力手段とした請求項２に記載の画像比較機能を備えた顧客管理システム。
【請求項５】
前記タッチパネルで行うピンチアウト・ピンチイン操作により大きさを合わせるように調整した画像を取り込むようにした請求項２に記載の画像比較機能を備えた顧客管理システム。
【請求項６】
請求項１乃至請求項３のいずれか１項に記載の画像比較機能を備えた顧客管理システムにおいて、同一対象物の現在または過去の画像を記憶部に記憶し、一方の画像を反転させて表示手段に表示するとともに、他方の画像を背面に重ね合わせ、それぞれの画像をずらせて表示することにより、現在または過去の画像を一方又は他方の画像とすることで、過去と現在の比較を見せるようにした画像比較機能を備えた顧客管理システム。
【請求項７】
請求項１乃至請求項６のいずれか１項に記載の画像比較機能を備えた顧客管理システムにおいて、顧客の画像と顧客自身以外の画像との画像比較ステップを有することを特徴とする画像比較機能を備えた顧客管理システム。
【請求項８】
請求項１乃至請求項７のいずれか１項に記載の画像比較機能を備えた顧客管理システムにおいて、画像に引かれた２本の線の交差角度を自動的に計算し数値を表示する角度自動計測ステップを有することを特徴とする画像比較機能を備えた顧客管理システム。
【請求項９】
前記画像が動画であって、動画の起点・速度・時間を合わせる動画再生の調整ステップを有することを特徴とする請求項１乃至請求項８のいずれか１項に記載の画像比較機能を備えた顧客管理システム。
【請求項１０】
請求項９に記載の画像比較機能を備えた顧客管理システムを利用したゴルフレッスン支援システムであって、一般ゴルファーであるユーザーが使用するユーザー端末と、ティーチングプロが所属するコーチグループが使用するコーチグループ端末と、管理サーバーとを通信回線を介して接続し、前記ユーザー端末でスイング動画を撮影して前記管理サーバーを経由して前記コーチグループ端末に送信するステップ、初回利用の場合は前記管理サーバーに登録されているコーチ情報データベースの中からユーザーの地域情報に基づいて選定されたコーチ又は継続利用の場合は専任コーチがスイング診断を行ってアドバイス・スクール情報をユーザー端末に返信するステップを有することを特徴とする画像比較機能を備えた顧客管理システムを利用したゴルフレッスン支援システム。
【請求項１１】
前記ユーザー端末でアドバイス・スクール情報をチェックしたユーザーが有料アプリ契約した場合、継続的に専任コーチによるスイング診断を受けられることを特徴とする請求項１０に記載の画像比較機能を備えた顧客管理システムを利用したゴルフレッスン支援システム。
【請求項１２】
前記ユーザー端末でアドバイス・スクール情報をチェックしたユーザーがスクールに入校した場合、スクールにてコーチングを受けられることを特徴とする請求項１０に記載の画像比較機能を備えた顧客管理システムを利用したゴルフレッスン支援システム。
【請求項１３】
請求項９に記載の画像比較機能を備えた顧客管理システムを利用したゴルフレッスン支援システムであって、一般ゴルファーであるユーザーが使用するユーザー端末と、ティーチングプロのコーチが使用するコーチ端末と、管理サーバーとを通信回線を介して接続し、前記ユーザー端末でスイング動画を撮影して前記管理サーバーを経由して前記コーチ端末に送信するステップ、初回利用の場合は前記管理サーバーに登録されているコーチ情報データベースの中から任意に選定されたコーチがスイング診断を行ってアドバイス情報をユーザー端末に返信するステップを有し、前記ユーザー端末でアドバイス情報をチェックしたユーザーが継続利用を希望する場合、オンラインチケットを購入した後にユーザー自身がコーチ選択を行って継続的にスイング診断を受けられることを特徴とする画像比較機能を備えた顧客管理システムを利用したゴルフレッスン支援システム。
【発明の詳細な説明】
【技術分野】
【０００１】
本発明は、顧客管理と顧客の画像（静止画又は動画）管理を同時に行い、客がいるその場で客に施した処置等を見せ、比較することができる顧客管理と画像（静止画又は動画）比較システムを一体に活用できるものである。
【背景技術】
【０００２】
従来  顧客管理には様々なニーズがあり、それに対応する仕組みが提案・実施されてきた。もっとも基本的なものは顧客の住所・氏名・電話番号などをコンピューターに記憶させておき、顧客が増えるたびに顧客のそれらのデータを積み上げ、次の拡販のためのダイレクトメールを送るなどの用途に使われていた。近年ではこのような顧客データを集めるだけではなく、積極的に顧客の移動体端末からのアクセスを受け入れ、利用状況などを把握するようにして顧客のニーズにあった商品を提供できるように、かつ他店と差別化ができるような顧客管理システムが提案されてきた。（特許文献１参照）
【０００３】
また、目の前にいる顧客に対して、接客として画像（静止画又は動画）を用いることは行われていた。即ち、例えば化粧品の販売に際して美容処置後に肌の細かな部分を調べるためにカメラを使用して映像装置に映すことで、美容処置の出来具合を客に示し、販売促進を行うというものである。また、例えばゴルフの教室に際してスイング補正後にスイング軌道の細かな部分を調べるためにカメラを使用して映像装置に映すことで、スイング軌道の改善具合を客に示し、生徒のリピート促進を行うというものである。
【０００４】
一方、画像（静止画又は動画）を比較して表示する装置としては、複数の画像（静止画又は動画）を単一の画像（静止画又は動画）比較エリアに重ねて表示する画像（静止画又は動画）表示装置において、上位画像（静止画又は動画）に対して特定範囲を指定する範囲指定手段と、上位画像（静止画又は動画）に対して特定範囲又は特定範囲外を透過処理して透過範囲を作成する透過処理手段と、透過範囲を通して下位画像の一部を上位画像に混合して表示する表示制御手段とを備えた画像（静止画又は動画）表示装置というものが提案されている。（特許文献２参照）
【先行技術文献】
【特許文献】
【０００５】
【特許文献１】特開２００３−３６４７６号公報
【特許文献２】特開２０１２−６３８３４号公報
【発明の概要】
【発明が解決しようとする課題】
【０００６】
従来の顧客管理では、顧客のデータは顧客集客のためのダイレクトメールを送る住所管理などには使えたが、目の前にいる顧客本人に美容や医療やトレーニングやリハビリやその他処置を施したときの状態を見せるような用途には使うことはしていなかった。
一方、美容などの販売に際して画像を用いることはあり、カメラを使用して映像装置に映すことは行われていたが、例えば肌の見えにくい部分を拡大して見せる用途に使用されるだけであった。目の前の客の美容処置前と美容処置後の状態を同時に見せるようなことはできなかった。また、ゴルフなどの教室に際して動画を用いることはあり、カメラを使用して映像装置に映すことは行われていたが、トレーニング結果を見せる用途に使用されるだけであった。目の前の客のトレーニング前とトレーニング後の状態を同時に見せるようなことはできなかった。
【０００７】
画像（静止画又は動画）表示の仕組みは進歩していて画像（静止画又は動画）の拡大縮小や反転、透過などの手法は確立してきており、それらの加工した画像を表示手段で表示することはできていたが、それを顧客管理と結び付けて、かつ、客に施した処置、例えば美容やゴルフ練習の事前事後を同時に表示して接客の仕組みは確立していなかった。
即ち、従来の顧客管理は顧客の住所等のデータ管理であり、画像（静止画又は動画）と組み合わせたものではなく、かつ、そのデータを客が直接見て、利用するものではなかった。従って、美容やゴルフ練習などにおいて接客することによって客のレベルアップしていることを同時比較して見ることができないという課題を有していた。
【０００８】
本発明はこのような従来の問題点である顧客管理と来店した客の画像（静止画又は動画）比較による状態を見るために、タブレット型コンピューターにより、顧客の過去の状態と現在の画像（静止画又は動画）の表示により、今いる客が直接的に状況を把握できるようにすることを目的とする。
また、本発明にかかる画像比較機能を備えた顧客管理システムをビジネスの仕組みに具体的に取り入れたゴルフレッスン支援システムを提供することを目的とする。
【課題を解決するための手段】
【０００９】
上記課題を解決するため、請求項１にかかる発明は、タブレット型コンピューターを用いて行う顧客管理システムにおいて、前記タブレット型コンピューターには顧客の画像を入力する画像入力手段と、顧客管理情報及び画像のデータを蓄積できる記憶部と、前記画像入力手段で撮像した画像を加工する加工手段と、前記加工手段で加工した画像を表示する表示手段と、前記表示手段で表示した表示部分に操作を行うためのタッチパネルを有し、前記画像入力手段で撮像した又は前記加工手段で加工した複数の画像を顧客管理情報に関連付けて前記タブレット型コンピューターに表示できることを特徴とする。
【００１０】
また、請求項２にかかる発明は、請求項１に記載の前記画像入力手段で撮像した現在の撮像画像を表示手段で表示し、また、既存の画像を加工手段で透過画像として加工し、前記透過画像を前記表示手段で表示して、現在撮像しようとしている画像と前記表示手段上に重ねて画像を取り込むようにしたものである。
【００１１】
また、請求項３にかかる発明は、請求項２に記載の前記画像入力手段はタブレット型コンピューターの表示手段の反対側にある画像入力手段としたものである。
【００１２】
また、請求項４にかかる発明は、請求項２に記載の前記画像入力手段はタブレット型コンピューター以外の外部の画像入力手段としたものである。
【００１３】
また、請求項５にかかる発明は、請求項２に記載の前記タッチパネルで行うピンチアウト・ピンチイン操作により大きさを合わせるように調整した画像を取り込むようにしたものである。
【００１４】
また、請求項６にかかる発明は、請求項１乃至請求項３に記載の画像比較機能を備えた顧客管理システムにおいて、同一対象物の現在または過去の画像を記憶部に記憶し、一方の画像を反転させて表示手段に表示するとともに、他方の画像を背面に重ね合わせ、それぞれの画像をずらせて表示することにより、現在または過去の画像を一方又は他方の画像とすることで、過去と現在の比較を見せるようにしたものである。
【００１５】
さらに、請求項７にかかる発明は、請求項１乃至請求項６に記載の画像比較機能を備えた顧客管理システムにおいて、顧客の画像と顧客自身以外の画像との画像比較ステップを有することを特徴とする。
【００１６】
また、請求項８にかかる発明は、請求項１乃至請求項７に記載の画像比較機能を備えた顧客管理システムにおいて、画像に引かれた２本の線の交差角度を自動的に計算し数値を表示する角度自動計測ステップを有することを特徴とする。
【００１７】
また、請求項９にかかる発明は、請求項１乃至請求項８に記載の画像比較機能を備えた顧客管理システムにおいて、前記画像が動画であって、動画の起点・速度・時間を合わせる動画再生の調整ステップを有することを特徴とする。
【００１８】
加えて、請求項１０にかかる発明は、請求項９に記載の画像比較機能を備えた顧客管理システムを利用したゴルフレッスン支援システムであって、一般ゴルファーであるユーザーが使用するユーザー端末と、ティーチングプロが所属するコーチグループが使用するコーチグループ端末と、管理サーバーとを通信回線を介して接続し、前記ユーザー端末でスイング動画を撮影して前記管理サーバーを経由して前記コーチグループ端末に送信するステップ、初回利用の場合は前記管理サーバーに登録されているコーチ情報データベースの中からユーザーの地域情報に基づいて選定されたコーチ又は継続利用の場合は専任コーチがスイング診断を行ってアドバイス・スクール情報をユーザー端末に返信するステップを有することを特徴とする。
【００１９】
また、請求項１１にかかる発明は、請求項１０に記載の前記ユーザー端末でアドバイス・スクール情報をチェックしたユーザーが有料アプリ契約した場合、継続的に専任コーチによるスイング診断を受けられることを特徴とする。
【００２０】
また、請求項１２にかかる発明は、請求項１０に記載の前記ユーザー端末でアドバイス・スクール情報をチェックしたユーザーがスクールに入校した場合、スクールにてコーチングを受けられることを特徴とする。
【００２１】
さらに、請求項１３にかかる発明は、請求項９に記載の画像比較機能を備えた顧客管理システムを利用したゴルフレッスン支援システムであって、一般ゴルファーであるユーザーが使用するユーザー端末と、ティーチングプロのコーチが使用するコーチ端末と、管理サーバーとを通信回線を介して接続し、前記ユーザー端末でスイング動画を撮影して前記管理サーバーを経由して前記コーチ端末に送信するステップ、初回利用の場合は前記管理サーバーに登録されているコーチ情報データベースの中から任意に選定されたコーチがスイング診断を行ってアドバイス情報をユーザー端末に返信するステップを有し、前記ユーザー端末でアドバイス情報をチェックしたユーザーが継続利用を希望する場合、オンラインチケットを購入した後にユーザー自身がコーチ選択を行って継続的にスイング診断を受けられることを特徴とする。
【発明の効果】
【００２２】
本発明の効果は、タブレット型コンピューターを用い、顧客管理に接客時の事前事後の差を同時に表示することで、客に処置の効果を目の前で見せることができるという効果がある。また、過去に撮像した画像（静止画又は動画）を透過画像（静止画又は動画）に加工し、透過画像（静止画又は動画）の大きさに合わせるように現在撮像しようとしている画像（静止画又は動画）を重ねあわせることで、大きさの違いを違えることなく過去と現在の比較を簡単に行うことができる。この場合タブレット型コンピューターの表示手段の反対側にある画像入力手段を用いれば、表示手段で見える過去の透過画像（静止画又は動画）と現在撮像しようとしている画像（静止画又は動画）は同じ方向で見ることができて撮像が簡単に行うことができる。
【００２３】
同様に、タブレット型コンピューターにある画像入力手段では入らないような場合外部の画像入力手段を用いることにより、特殊な撮像も行うことができる。
【００２４】
さらに、過去と現在の画像（静止画又は動画）のどちらか一方を反転させることにより、例えば、右半分の顔同士を比較して色白になった顔の比較や痩せた状態の違いを見せるということが容易に行えるという効果も有する。結果的に、接客時に手軽なカウンセリングを行えることにより、再来訪としての顧客を獲得することに繋がる効果も有する。
【００２５】
また、本発明にかかる画像比較機能を備えた顧客管理システムを利用したゴルフレッスン支援システムによれば、協会、ユーザー（一般ゴルファー）、コーチグループ（練習場・ティーチングプロ）に対して以下のような効果を期待することができる。
【００２６】
ユーザー（一般ゴルファー）にとっては、スイング動画の比較によって自分に合った的確なアドバイスを受けられる、自分のスタイルで活用することでいつでもどこでもフォームチェック・アドバイスを活用できる又スクールに入校することで直接指導をうけられることによりゴルフ技術向上の効果を期待することができる。
【００２７】
また、コーチグループ（練習場・ティーチングプロ）は、新規ユーザーの獲得（スクール加入）、レッスン料金による売上ＵＰ、コミッション（アプリ月額利用料金に対する手数料）による経済的な効果を期待することができる。
また、協会はコミッション（アプリ契約時の手数料、アプリ月額利用料金に対する手数料）による経済的な効果を期待することができる。
【図面の簡単な説明】
【００２８】
【図１】本発明の第一実施例における全体図
【図２】本発明の第一実施例のブロック構成図
【図３】本発明の第一実施例のフローチャート
【図４】本発明の第一実施例の画像の合成比較図
【図５】本発明の第一実施例の画像の反転を示す説明図
【図６】本発明の第一実施例の書き込みを示す説明図
【図７】本発明の第一実施例の画像の拡大縮小の説明図
【図８】本発明の第一実施例の透過画像の比較図説明図
【図９】本発明の第一実施例の外部の画像入力手段を用いた説明図
【図１０】本発明の第二実施例のブロック構成図
【図１１】本発明の第二実施例のフローチャート
【図１２】本発明の第三実施例のビジネスモデルの全体図
【図１３】本発明の第三実施例のフローチャート
【図１４】本発明の第三実施例のスイング動画送信画面の一例を示す説明図
【図１５】本発明の第三実施例のスイング診断画面（初回ユーザー診断）の一例を示す説明図
【図１６】本発明の第三実施例のスイング診断画面（継続利用ユーザー診断）の一例を示す説明図
【図１７】本発明の第三実施例の他の運用例を示すフローチャート
【発明を実施するための形態】
【００２９】
（第一実施例、静止画を対象とした画像比較機能を備えた顧客管理システム）
本発明の実施例を図１〜図９を用いて説明する。図１及び図２において１はタブレット型コンピューター、２はタブレット型コンピューター１の表及び裏側に設けてある画像入力手段（表の画像入力手段を２ａ、裏の画像入力手段を２ｂとする。また、外部の画像入力手段は２ｃとする。）、３はタブレット型コンピューター１の表示手段、４はタブレット型コンピューター１の中に設けてある記憶部、５はタブレット型コンピューター１において画像入力手段２と記憶部４のデータを用いて演算等を行う中央演算装置である。表示手段３の表面には手の操作により表示手段３で表示した画像または操作部分を操作するためのタッチパネル６が設けてある。
【００３０】
図２のブロック図において、画像入力手段２で撮像された画像は記憶部４に記憶される。記憶部４で記憶された画像は中央演算装置５内に設けた画像を加工する加工手段７で加工される。加工手段７で加工された画像は記憶部４に記憶され、記憶部４の保存された画像は表示手段３に表示される。
【００３１】
タッチパネル６で操作した指示に基づき中央演算装置５内で画像の大きさを調整した画像も中央演算装置５を通じて記憶部４に記憶され、タブレット型コンピューター１の表示手段３に表示される。    
【００３２】
図３は本発明の動作を示すフローチャートである、
顧客管理を行うにはステップ１００番台で顧客管理の情報を登録することと、ステップ２００番台の画像の撮像のステップ、３００番台で画像を管理する画像管理のステップ、４００番台で画像の各種加工を行う画像加工のステップ、５００番台では加工した画像または画像入力手段２で撮像したままの画像を表示する表示ステップ、６００番台では表示した画像をもとにカウンセリングなどに役立てることができるようにしてある。
【００３３】
以降、順次ステップごとの詳細を説明する。はじめにステップ１０１で新規の顧客の登録を行う。ここには住所や名前など顧客のデータが登録されており、後に説明する画像データも登録してある。新規の客の場合はステップ１０１で顧客登録を行う。新規でない客の場合はすでに登録してある顧客データを呼び出してくるが、ここでは省略してある。
【００３４】
ステップ２００番台で取り込んだ画像とともにステップ３０１の画像データとして登録される。これにより、顧客の住所などのデータと顧客の顔や全体像など必要な画像データを同時に管理するようにしてある。なお、以下の画像データなどの画像を取り込んだ後は記憶部４に保管され、記憶部４から取り出した画像などを加工した後は再び記憶部４に格納される。以降の説明では記憶部４への説明は省略する。
【００３５】
ステップ２０１では顧客の画像を画像入力手段２で撮像する。ステップ２０２はタブレット型コンピューター１内部の画像入力手段２ａ、２ｂを、ステップ２０３では外部の画像入力手段２ｃを選択するようにしてある（選択する手段は省略してある）。以下、特に断りのない場合はタブレット型コンピューター１の表示手段３とは反対側に設けた内部の画像入力手段２ｂで説明する。ステップ２０２で撮像した画像はステップ３０１へ進み、画像を顧客管理で管理するようにしてある。
【００３６】
ステップ４００番台は画像の加工や特殊な処理を行うステップである。ステップ４０１は画像の合成比較、ステップ４０２は画像の反転比較、ステップ４０３は画像への書き込み、ステップ４０４は画像の拡大縮小、ステップ４０５は画像の透過比較、ステップ４０６は撮像時に透過させる機能を扱う。
【００３７】
ステップ４０７は外部の画像入力手段２ｃを用いる場合である。この時はそれぞれの用途に応じて外部の画像入力手段を用いる。例えば、美容の場合、肌を拡大して映す画像入力手段や、医療の場合の胃カメラなどが相当する。このときの画像の取り扱いのステップである。
【００３８】
これらの４００番台のステップは使用者が任意に選択できるようにしてある。従って、組み合わせにより各種の加工を客に提供できるようにしてある。
以下、ステップ４００番台の動作について図４から図９を用いて説明する。
【００３９】
図４は画像の合成比較を表す図でステップ４０１の説明である。図４（Ａ）の左側はある時点で撮像した人１０の顔を表している。図４（Ａ）の右側は他の時点で撮像した同じ人１１の画像を示している。図４（Ｂ）に示すようにこの両方の画像を半分ずつ重ね合わせことにより、ある時点と他の時点の画像から、例えば顔の色の違いなどがわかる。ここでは重なり合う部分の画像を非表示にしてある。図４（Ｂ）では人１０の左側の顔と人１１の右側の顔を横並びにして合成してある（左側及び右側の表記の仕方は図の画面に向かって見て、右及び左として示している、以下同様である。）。人１０と人１１は同じ人の美容処置前と美容処置後として実行すれば、美容行為による左右の違いがわかるため、客は目の前で違いを確認できる。
【００４０】
次に、ステップ４０２の説明を行う。図５は画像の反転合成比較を表す図で、図５（Ａ）で人の顔を表している。同じ人物の顔の左側半分２０と右側半分２１とに別けて反転合成の説明を行う。顔の右側半分２１を抽出して画像を反転させて、その後。図５（Ｂ）の顔の左側２２部分に貼り合わせる。これにより顔の左側半分２２は顔の右側半分２１の反転した画像を表し、貼りあわせた画像は同じ人物の顔の右側の顔のみの画像として再構成される。
【００４１】
上記の説明は同一人物の1枚の画像での反転処理の説明を行ったが、図５（Ａ）を現在の画像、図５（Ｂ）には過去に撮像した同じ人の画像を当てはめれば、図５（Ｂ）の顔の左側半分２２は現在の顔の右側半分を表し、図５（Ｂ）の顔の右側半分は過去の同一人物の右側半分２３となり、この両方の画像を半分ずつ重ね合わせことにより、現在の画像と過去の画像から顔の同じ側の違いを同時に見ることができる。このような二つの画像を横並びにすると現在と過去の違いがわかる。
【００４２】
次にステップ４０３について図６を用いて説明する。ステップ４０３は画像への書き込みを行うステップである。表示された、あるいは加工された画像などに部分を指したり、領域を示したり、メモを書き込んだりすることができる。例えば今いる客に対して、画像のある領域３０の部分について情報を与えるため、丸を書いたりしてわかりやすく接客ができる。３１のように文字を書くこともできる。
【００４３】
次にステップ４０４について図７を用いて説明する。このステップは画像の拡大縮小を行うところである。タッチパネル６に対していわゆる指2本でピンチアウト・ピンチインを行うことにより、その指示により画像を拡大縮小する。今回、縦横比率は一定として拡大縮小を行うようにしてある。
【００４４】
即ち、従来ある顔画像と比較する顔画像を左右並べるとか重ねる場合に、比較するには大きさを合わせる必要があり、かつ、縦横比率を変えないようにして合わせることで、従来ある顔画像と比較する顔画像の大きさを合わせるようにする。ピンチアウト・ピンチインで行う操作のため、見た目で概略合わすことを目的としており、結果をその場で客に示すことを目的としている。
【００４５】
図７（Ａ）はある対象人物を左側４０と右側４１に別けて、右側４１を拡大した図を表している。これを図７（Ｂ）のように右側半分４１を４３のところに貼り付ける。その後、人物の右側半分４３を縮小して人物の右側半分４４のように左側の人物の大きさに合わせ、左右合わせてひとつの人物として表示する。
【００４６】
拡大縮小の画像加工を行う理由は人物を撮像するときに常に同じ大きさで撮像できるものではないので、過去と現在を比較したり、同じ時間であっても動いたりするため、人物全体や顔を同じ大きさにすることは難しい。従って、比較するためには調整が必要になるからである。
【００４７】
次にステップ４０５の透過画像のステップについて図８で説明する。図８（Ａ）はある時期の人物５０の横側面を撮像した画像である。図８（Ｂ）は図８（Ａ）とは違う時期の人物５１の横側面を撮像した画像である。両方とも撮像済みの画像である。図８（Ｃ）は図８（Ｂ）の画像の上に図８（Ａ）の画像を重ねて表した図である。ここで図８（Ａ）の画像を半透明にしてから図８（Ｂ）に重ねることにしてある。ここで、人物５２は人物５０と同一、人物５３は人物５１と同一である。
【００４８】
図８（Ｂ）は以前、おなかが出ていた当時の画像で、図８（Ａ）はダイエットを行った後の画像とすれば、その比較を一目でわかるようにしたものである。なお、図８は人を重ね合わせた形で記載しているが、実際にはどちらか一方は透過画像にしてある。
【００４９】
透過画像を使う理由は、図８の説明図のように重ね合わせたときに人物５１が人物５０よりすべての部分で大きいということは珍しく、通常は重ね合わせると見えたり見えなかったりするので、わかりやすく表示するにはどちらか一方を透過画像にして両方の人の状態を見せる必要があるからである。
【００５０】
次にステップ４０６について説明する。ステップ４０５と異なるところは撮像するときに撮像済みの画像を透過状態にして新たに撮像を行う場合に用いる。すなわち、以前に撮像した画像と現在の人物や顔の大きさを同じ大きさで撮像したい場合、過去の画像を表示手段３で表示させ、その後表示させた画像を半透明にする。その状態で現在撮像しようと考えている対象物を画像入力手段２で撮像し、ちょうど同じ大きさに重なったときの画像を記憶部４に保存する。このようにすれば、後の比較のときに大きさをあわせることなく。比較処理ができる。
【００５１】
このステップ４０６の透過撮影するステップとステップ４０５の透過比較する場合の違いを詳述すると、ステップ４０６の場合は以前の画像を表示手段３で表示し、半透明にして、その大きさにあうように現在の対象物を写す距離を変えて大きさをあわせる。一方、ステップ４０５ではすでに保存されている二つの画像を比較するため、大きさが違う場合はステップ４０４で大きさをあわせてから、一方を透過画像にして、他方と重ねて両方を表示する方法である。従って、接客中に行う作業として、拡大縮小の画像加工をしなくて済む。
【００５２】
ステップ４０７は外部の画像入力手段２ｃを用いる場合である。図９に示すように外部の画像入力手段２ｃはタブレット型コンピューター１とは無線で接続されている（有線で接続しても構わない。）。顧客の管理には過去と現在の比較だけではなく、現在の顔とその肌を保存・管理する場合がある。この場合タブレット型コンピューターの内部画像入力手段２では映す事ができない特殊な画像入力手段２が必要となる場合がある。この場合、このステップ４０７にて画像を取り込む。
【００５３】
以上、各ステップでの画像の加工について説明してきたが、実際にはこれらの組み合わせも使われる。ステップ４０１、ステップ４０２、ステップ４０５で大きさをあわせる必要が生じたときは、ステップ４０４の拡大縮小の画像加工を行う。
【００５４】
ステップ４０５で透過画像の比較を行う場合、ステップ４０１の画像の合成比較のステップを利用する。ステップ４０３の画像への書き込みは画像加工の４００番台の各ステップのときにも利用できる。
【００５５】
お客様の化粧前の顔と化粧をしたあとの顔を右同士比較する場合、ステップ４０２、ステップ４０１、ステップ４０４を使って客に見せる。その後、ステップ４０３で丸や線を描いて、その描いた部分を指し示して「良くなったでしょう！」というようなアドバイスを行う。また、コメントを入れたものを印刷して客に渡すことにより、客の満足度の向上を図ることができる。
【００５６】
今までは内部画像入力手段２を用いて説明してきたが、外部の画像入力手段２を用いても同様のことができる。通常はタブレット型コンピューター１に固定されている画像入力手段２ａ、２ｂを用いるが、例えば、肌の細かな部分を撮像する場合、あるいは医療で胃カメラなどのタブレット型コンピューターに取り付けられた画像入力手段２a、２ｂでは扱えない場合に、外部の画像入力手段２ｃを用いることもできる。
【００５７】
以上説明してきたように、タブレット型コンピューターを用い、顧客管理及び写真を撮影し、この写真の比較を行う為、施術前の写真と比較しやすくするため、透過機能を利用し同様のサイズ及び方向の施術後写真を撮影することが出来る。これにより、顧客の手元で施術効果を顧客が実感する事が出来る。これにより、再来訪の促進ができる。
【００５８】
更に、システム利用者は、顧客管理と画像管理が同時に行えるため、大きな手間をかけずに管理やカウンセリングができる。
【００５９】
また、美容関連顧客サービスとして、化粧前・化粧後の画像などを撮影し、顧客の手元で化粧品などの効果を実感することができる。また、左右反転機能を用い、右半分もしくは左半分の顔同士での比較を行うことが出来、更に効果を実感する事が出来る。
【００６０】
（第二実施例、動画を対象とした画像比較機能を備えた顧客管理システム）
本発明の実施例について図面を用いて説明する。上述した静止画を対象としたシステムと全体図（図１）とブロック構成図（図２）の基本内容は共通するため説明を省略し、以下フローチャートを中心に説明する。ただし、図１０に示すように、ブロック構成図については、本実施例では動画を対象とした画像比較を行うために、中央演算装置５内には記憶部４に記憶された動画の起点・速度・時間を合わせる動画再生の調整手段８が設けられており、加工手段７で加工された動画は記憶部４に記憶され、記憶部４の保存された動画は表示手段３に表示される。
【００６１】
図１１は本発明の動作を示すフローチャートである。
上述した静止画を対象としたシステムと同様に、顧客管理を行うにはステップ１００番台で顧客管理の情報を登録することと、ステップ２００番台の動画の撮影のステップ、３００番台で動画を管理する動画管理のステップ、４００番台で動画の各種加工及び調整を行う動画加工・調整のステップ、５００番台では加工及び調整した動画または動画入力手段２で撮影したままの動画を表示する表示ステップ、６００番台では表示した動画をもとにカウンセリングなどに役立てることができるようにしてある。
【００６２】
以降、順次ステップごとの詳細を説明する。はじめにステップ１０１で新規の顧客の登録を行う。ここには住所や名前など顧客のデータが登録されており、後に説明する動画データも登録してある。新規の客の場合はステップ１０１で顧客登録を行う。新規でない客の場合はすでに登録してある顧客データを呼び出してくるが、ここでは省略してある。
【００６３】
ステップ２００番台で取り込んだ動画とともにステップ３０１の動画データとして登録される。これにより、顧客の住所などのデータと顧客の顔や全体像など必要な動画データを同時に管理するようにしてある。なお、以下の動画データなどの動画を取り込んだ後は記憶部４に保管され、記憶部４から取り出した動画などを加工及び調整した後は再び記憶部４に格納される。以降の説明では記憶部４への説明は省略する。
【００６４】
ステップ２０１では顧客の動画を動画入力手段２で撮影する。ステップ２０２はタブレット型コンピューター１内部の動画入力手段２ａ、２ｂを、ステップ２０３では外部の動画入力手段２ｃを選択するようにしてある（選択する手段は省略してある）。以下、特に断りのない場合はタブレット型コンピューター１の表示手段３とは反対側に設けた内部の動画入力手段２ｂで説明する。ステップ２０２で撮影した動画はステップ３０１へ進み、動画を顧客管理で管理するようにしてある。
【００６５】
ステップ４００番台は動画の加工及び調整や特殊な処理を行うステップである。ステップ４０１は動画の合成比較、ステップ４０２は動画の反転比較、ステップ４０３は動画への書き込み、ステップ４０４は動画の拡大縮小、ステップ４０５は動画の透過比較、ステップ４０６は撮影時に透過させる機能を扱う。
【００６６】
ステップ４０７は外部の動画入力手段２ｃを用いる場合である。この時はそれぞれの用途に応じて外部の動画入力手段を用いる。例えば、美容の場合、肌を拡大して映す動画入力手段や、医療の場合の胃カメラなどが相当する。このときの動画の取り扱いのステップである。
【００６７】
これらの４００番台のステップは使用者が任意に選択できるようにしてある。従って、組み合わせにより各種の加工及び調整を客に提供できるようにしてある。
以下、ステップ４００番台の動作について図４から図９を用いて説明する。ここで、図面に表された「顔」の図形については全て「体」の図形に置き換えて説明する。
【００６８】
図４は動画の合成比較を表す図でステップ４０１の説明である。図４（Ａ）の左側はある時点で撮影した人１０の体を表している。図４（Ａ）の右側は他の時点で撮影した同じ人１１の動画を示している。図４（Ｂ）に示すようにこの両方の動画を半分ずつ重ね合わせことにより、ある時点と他の時点の動画から、例えば左右の体の動きの違いなどがわかる。ここでは重なり合う部分の動画を非表示にしてある。図４（Ｂ）では人１０の左側の体と人１１の右側の体を横並びにして合成してある（左側及び右側の表記の仕方は図の画面に向かって見て、右及び左として示している、以下同様である。）。人１０と人１１は同じ人のトレーニング前とトレーニング後として実行すれば、トレーニング行為による左右の違いがわかるため、客は目の前で違いを確認できる。
【００６９】
次に、ステップ４０２の説明を行う。図５は動画の反転合成比較を表す図で、図５（Ａ）で人の体を表している。同じ人物の体の左側半分２０と右側半分２１とに別けて反転合成の説明を行う。体の右側半分２１を抽出して動画を反転させて、その後。図５（Ｂ）の体の左側２２部分に貼り合わせる。これにより体の左側半分２２は体の右側半分２１の反転した動画を表し、貼りあわせた動画は同じ人物の体の右側の体のみの動画として再構成される。
【００７０】
上記の説明は同一人物の１個の動画での反転処理の説明を行ったが、図５（Ａ）を現在の動画、図５（Ｂ）には過去に撮影した同じ人の動画を当てはめれば、図５（Ｂ）の体の左側半分２２は現在の体の右側半分を表し、図５（Ｂ）の体の右側半分は過去の同一人物の右側半分２３となり、この両方の動画を半分ずつ重ね合わせことにより、現在の動画と過去の動画から体の同じ側の違いを同時に見ることができる。このような二つの動画を横並びにすると現在と過去の違いがわかる。
【００７１】
次にステップ４０３について図６を用いて説明する。ステップ４０３は動画への書き込みを行うステップである。表示された、あるいは加工された動画などに部分を指したり、領域を示したり、メモを書き込んだりすることができる。例えば今いる客に対して、動画のある領域３０の部分について情報を与えるため、丸を書いたりしてわかりやすく接客ができる。３１のように文字を書くこともできる。
【００７２】
次にステップ４０４について図７を用いて説明する。このステップは動画の拡大縮小を行うところである。タッチパネル６に対していわゆる指２本でピンチアウト・ピンチインを行うことにより、その指示により動画を拡大縮小する。今回、縦横比率は一定として拡大縮小を行うようにしてある。
【００７３】
即ち、従来ある体の動画と比較する体の動画を左右並べるとか重ねる場合に、比較するには大きさを合わせる必要があり、かつ、縦横比率を変えないようにして合わせることで、従来ある体の動画と比較する体の動画の大きさを合わせるようにする。ピンチアウト・ピンチインで行う操作のため、見た目で概略合わすことを目的としており、結果をその場で客に示すことを目的としている。
【００７４】
図７（Ａ）はある対象人物を左側４０と右側４１に別けて、右側４１を拡大した図を表している。これを図７（Ｂ）のように右側半分４１を４３のところに貼り付ける。その後、人物の右側半分４３を縮小して人物の右側半分４４のように左側の人物の大きさに合わせ、左右合わせてひとつの人物として表示する。
【００７５】
拡大縮小の動画加工を行う理由は人物を撮影するときに常に同じ大きさで撮影できるものではないので、過去と現在を比較したり、同じ時間であっても動いたりするため、人物全体や顔を同じ大きさにすることは難しい。従って、比較するためには調整が必要になるからである。
【００７６】
次にステップ４０５の透過動画のステップについて図８で説明する。図８（Ａ）はある時期の人物５０の正面を撮影した動画である。図８（Ｂ）は図８（Ａ）とは違う時期の人物５１の正面を撮影した動画である。両方とも撮影済みの動画である。図８（Ｃ）は図８（Ｂ）の動画の上に図８（Ａ）の動画を重ねて表した図である。ここで図８（Ａ）の動画を半透明にしてから図８（Ｂ）に重ねることにしてある。ここで、人物５２は人物５０と同一、人物５３は人物５１と同一である。なお、図８は人を重ね合わせた形で記載しているが、実際にはどちらか一方は透過動画にしてある。
【００７７】
ステップ４０５の透過動画のステップを利用することにより、例えば、ゴルフで以前の正確でないスイングの動画と、トレーニングを行った後の動画との比較を一目でわかるように表示することができる。
【００７８】
透過動画を使う理由は、図８の説明図のように重ね合わせたときに人物５１が人物５０よりすべての部分で大きいということは珍しく、通常は重ね合わせると見えたり見えなかったりするので、わかりやすく表示するにはどちらか一方を透過動画にして両方の人の状態を見せる必要があるからである。
【００７９】
次にステップ４０６について説明する。ステップ４０５と異なるところは撮影するときに撮影済みの動画を透過状態にして新たに撮影を行う場合に用いる。すなわち、以前に撮影した動画と現在の人物や顔の大きさを同じ大きさで撮影したい場合、過去の動画を表示手段３で表示させ、その後表示させた動画を半透明にする。その状態で現在撮影しようと考えている対象物を動画入力手段２で撮影し、ちょうど同じ大きさに重なったときの動画を記憶部４に保存する。このようにすれば、後の比較のときに大きさをあわせることなく、比較処理ができる。
【００８０】
このステップ４０６の透過撮影するステップとステップ４０５の透過比較する場合の違いを詳述すると、ステップ４０６の場合は以前の動画を表示手段３で表示し、半透明にして、その大きさにあうように現在の対象物を写す距離を変えて大きさをあわせる。一方、ステップ４０５ではすでに保存されている二つの動画を比較するため、大きさが違う場合はステップ４０４で大きさをあわせてから、一方を透過動画にして、他方と重ねて両方を表示する方法である。従って、接客中に行う作業として、拡大縮小の動画加工をしなくて済む。
【００８１】
ステップ４０７は外部の動画入力手段２ｃを用いる場合である。図９に示すように外部の動画入力手段２ｃはタブレット型コンピューター１とは無線で接続されている（有線で接続しても構わない。）。顧客の管理には過去と現在の比較だけではなく、現在の体の動きや姿勢を保存・管理する場合がある。この場合タブレット型コンピューターの内部動画入力手段２では映す事ができない特殊な動画入力手段２が必要となる場合がある。この場合、このステップ４０７にて動画を取り込む。
【００８２】
次に、ステップ４０８について説明する。ステップ４０８は動画再生の調整（起点・速度・時間）を行うステップである。従来ある体の動画と比較する体の動画を左右並べるとか重ねる場合に、比較するには起点を合わせる必要があり、かつ、大きさ及び縦横比率を変えないようにして合わせることで、従来ある体の動画と比較する体の動画を比較できるようにする。また、動画再生の速度を調整して、スロー再生や巻き戻し再生して動画を比較できるようにする。さらに、撮影時間にバラつきがある場合、時間尺に合うように時間調整して動画を比較できるようにする。例えば、ゴルフスイングを撮影した動画では、スイングの流れが「アドレス」「始動〜バックスイング」「トップ〜ダウンスイング」「インパクト」「フォロー〜フィニッシュ」の５段階に分類されるが、２つの動画を再生して比較するためには、起点（始動、トップ、インパクトなど）を一致させることにより、スイングの違いを明確に認識することが可能になる。
【００８３】
次に、ステップ４０９について説明する。ステップ４０９は音声の入出力を行うステップである。画像情報と合わせて音声情報を入力・保存・再生できるようにすることにより、音声によるアドバイス等が受けられるため、画像比較による両者の違いを容易に理解できるようになる。なお、ステップ４０９は、動画に限定されるものではなく、静止画についても採用することができる。
【００８４】
次に、ステップ４１０について説明する。ステップ４１０は自身以外との画像比較を行うステップである。例えば、ゴルフスイングを撮影した動画では、自身のスイング動画とティーチングプロ等のモデルのスイング動画とを比較できるようにする。なお、ステップ４１０は、動画に限定されるものではなく、静止画についても採用することができる。
【００８５】
次に、ステップ４１１について説明する。ステップ４１１は角度自動計測を行うステップである。画像に引かれた２本の線の交差角度を自動的に計算し数値を表示することにより、姿勢やフォームなどを客観的に認識することが可能になる。例えば、ゴルフスイングでは、アドレス時にクラブのシャフトとその延長線でできるシャフトプレーンのチェックが重要であるが、シャフトプレーンのラインを表示してそのラインと水平位置の基準線との角度を数値化することにより、スイングのチェックを客観的に確認することが可能になる。なお、ステップ４１１は、動画に限定されるものではなく、静止画についても採用することができる。
【００８６】
以上、各ステップでの動画の加工及び調整について説明してきたが、実際にはこれらの組み合わせも使われる。ステップ４０１、ステップ４０２、ステップ４０５、ステップ４１０で大きさをあわせる必要が生じたときは、ステップ４０４の拡大縮小の動画加工を行う。
【００８７】
ステップ４０５で透過動画の比較を行う場合、ステップ４０８の動画再生の調整（起点・速度・時間）を適宜行った上でステップ４０１の動画の合成比較のステップを利用する。ステップ４０３の動画への書き込みは動画加工の４００番台の各ステップのときにも利用できる。
【００８８】
お客様のトレーニング前の体とトレーニングをした後の体を右同士比較する場合、ステップ４０８の動画再生の調整（起点・速度・時間）を適宜行った上でステップ４０２、ステップ４０１、ステップ４０４を使って客に見せる。その後、ステップ４０３で丸や線を描いて、その描いた部分を指し示して「良くなったでしょう！」というようなアドバイスを行う。また、コメントを入れたものをデータ保存して客に渡すことにより、客の満足度の向上を図ることができる。
【００８９】
今までは内部動画入力手段２を用いて説明してきたが、外部の動画入力手段２を用いても同様のことができる。通常はタブレット型コンピューター１に固定されている動画入力手段２ａ、２ｂを用いるが、例えば、肌の細かな部分を撮影する場合、あるいは医療で胃カメラなどのタブレット型コンピューターに取り付けられた動画入力手段２a、２ｂでは扱えない場合に、外部の動画入力手段２ｃを用いることもできる。
【００９０】
以上説明してきたように、タブレット型コンピューターを用い、顧客管理及び動画を撮影し、この動画の比較を行う為、施術前の動画と比較しやすくするため、透過機能を利用し同様のサイズ及び方向の施術後動画を撮影することが出来る。これにより、顧客の手元で施術効果を顧客が実感する事が出来る。これにより、再来訪の促進ができる。
【００９１】
更に、システム利用者は、顧客管理と動画管理が同時に行えるため、大きな手間をかけずに管理やカウンセリングができる。
【００９２】
また、スポーツトレーニング関連顧客サービスとして、トレーニング前・トレーニング後の動画などを撮影し、顧客の手元でトレーニング効果を実感することができる。また、左右反転機能を用い、右半分もしくは左半分の体同士での比較を行うことが出来、更に効果を実感する事が出来る。
【００９３】
（第三実施例、ゴルフレッスン支援システム）
図１２は、本発明にかかる画像比較機能を備えた顧客管理システムを利用したゴルフレッスン支援システムのビジネスモデルの全体図である。
【００９４】
図１２に示すように、協会はゴルフ人口及びゴルフスクール生の増加を目的として、画像比較機能を備えた顧客管理システムのアプリケーションをユーザー（一般ゴルファー）並びにコーチグループ（練習場・ティーチングプロ）に対して、インターネットやチラシ配布などにより宣伝して普及活動を行う。そして、ユーザー（一般ゴルファー）とコーチグループ（練習場・ティーチングプロ）との間で本発明にかかるシステムを利用することにより、ユーザー（一般ゴルファー）にとっては、自分に合った的確なアドバイスを受けられる、自分のスタイルで活用することでいつでもどこでもフォームチェック・アドバイスを活用できる又スクールに入校することで直接指導をうけられる等のメリットを有する。また、コーチグループ（練習場・ティーチングプロ）は、新規ユーザーの獲得（スクール加入）、レッスン料金による売上ＵＰ、コミッション（アプリ月額利用料金に対する手数料）による収益等のメリットを有する。また、協会はコミッション（アプリ契約時の手数料、アプリ月額利用料金に対する手数料）による収益等のメリットを有する。
【００９５】
本発明にかかるシステムを利用するためには、一般ゴルファーであるユーザーが使用するユーザー端末と、ティーチングプロが所属するコーチグループが使用するコーチグループ端末とを備えており、それらの端末がインターネットを介して管理サーバーに接続されている。各端末については、タブレット型コンピューターを用いるのが好ましいが、これに限定されるものではなく、画像比較機能を備えた顧客管理システムのアプリケーションを利用でき且つ画像を添付して送受信できる機能を備えていれば良い。
【００９６】
本発明にかかるシステムは、ユーザー端末でスイング動画を撮影して管理サーバーを経由してコーチグループ端末に送信するステップ、初回利用の場合は管理サーバーに登録されているコーチ情報データベースの中からユーザーの地域情報に基づいて選定されたコーチ又は継続利用の場合は専任コーチがスイング診断を行ってアドバイス・スクール情報をユーザー端末に返信するステップを有することを特徴とする。
【００９７】
図１３は、本発明にかかるゴルフレッスン支援システムにおいて、ユーザー、コーチグループの間の処理手順を示すフローチャートである。以降、順次ステップごとの詳細を説明する。
【００９８】
先ず、協会からアプリの宣伝・普及活動を受けたユーザーが、無料又は有料アプリケーションをダウンロードする（ステップ７００、７０１）。無料アプリケーションは、所謂お試し版であって、スイング動画を１回送信して、コーチからアドバイスを１回受けることができる。一方、有料アプリケーションは、専任コーチがスイング診断を行った上でアドバイスを継続的に受けることができる。また、ユーザーが有料アプリ契約した場合、ユーザーがスクールに入校してスクールでコーチの指導の下で撮影したスイング動画を管理サーバー（図示省略）からダウンロードして場所や時間的な制約なしに閲覧することが可能になる。
【００９９】
次に、ユーザーがスイング動画を撮影する（ステップ７１０）。新規の場合は、はじめに顧客管理情報（住所や名前など）の登録を行う必要があり、この顧客管理情報とスイング動画のデータが同時に管理される。ここで、顧客管理情報としては、管理サーバーに登録されているコーチ情報データベースの中から地域的に近いスクールのコーチを選定するため、ユーザーの地域情報が少なくとも必要になる。なお、ＧＰＳ機能を使用する場合、ユーザーの位置情報に基づいて地域的に近いスクールのコーチを自動的に選定することもできる。
【０１００】
次に、ユーザーがスイング動画を送信する（ステップ７２０）。図１４は、本発明の第三実施例のスイング動画送信画面の一例を示す説明図である。顧客管理情報として、例えば、ユーザー情報（「性別」、「お住まい／ＧＰＳ機能を使用する場合の選択ボタン」、「年代」、「経験年数」）が入力され、このユーザーがスイング診断を受けたいスイング動画のデータが添付される。また、コメント記入欄に「自身の課題・問題点、その他コーチングして欲しい事など」をフリーコメントで記入できる。また、音声コメントを録音して送信することにより、ユーザーの希望を的確に伝えることもできる。
【０１０１】
次に、スイング動画送信が初回の場合は、管理サーバーに登録されているコーチ情報データベースの中から地域的に近いスクールのコーチを選定する（ステップ７３０、ステップ７３１）。管理サーバーのコーチ情報の登録については、コーチ側の要望を登録できるようになっており、例えば、受け入れられる人数の制限などを予め登録しておくことができる。一方、継続利用の場合は、既にアドバイスを行った１回目のコーチが専任コーチに選ばれる（ステップ７４０、ステップ７４１）。ただし、ユーザーが別のコーチのアドバイスを受けたいと希望する場合は、ユーザー側の要望を登録できるようになっており、これに従ってコーチを変更することができる。
【０１０２】
次に、コーチはスイング動画を再生してユーザーのスイング動作を見ながらスイング診断を行う（ステップ７５０）。例えば、ユーザーのスイングについて、「アドレス」「始動〜バックスイング」「トップ〜ダウンスイング」「インパクト」「フォロー〜フィニッシュ」の項目に分けてチェックする。また、スイング角度について、上述した第二実施例のフローチャートの角度自動計測ステップ（シャフトプレーンのラインを表示してそのラインと水平位置の基準線との角度を数値化する）を用いてチェックする。
【０１０３】
図１５は本発明の第三実施例のスイング診断画面（初回ユーザー診断）の一例を示す説明図である。顧客管理情報として登録されているユーザー情報（「性別」、「お住まい」、「年代」、「経験年数」）と、スイング診断を行った担当コーチ情報（「所属スクール店舗」、「所在地」、「連絡先」、「コーチ名」など）が表示される。ユーザーのスイング動画にはシャフトプレーンのラインが書き込まれ、そのラインと水平位置の基準線との角度が表示される。また、コメント記入欄に「ユーザーからの送信動画に対してのアドバイスポイントの解説、ユーザーの課題・問題点に対してのアドバイス、その他コーチングなど」をフリーコメントで記入できる。また、音声コメントを録音して送信することにより、コーチの指導内容を的確に伝えることもできる。さらに、付加される情報としては、「スクール入会案内」、「イベント情報」、「その他ユーザーに対して有益な情報」などをユーザーに送信することができる。
【０１０４】
図１６は本発明の第三実施例のスイング診断画面（継続利用ユーザー診断）の一例を示す説明図である。上述した初回ユーザー診断との違いは、継続利用ユーザー診断の場合は、過去のユーザー動画とのビフォーアフター比較や見本動画（プロ・コーチ）との自身以外の動画を比較しながらアドバイスを受けることができる。
【０１０５】
次に、コーチがアドバイス・スクール情報などを送信し（ステップ７６０）、ユーザーがアドバイス・スクール情報をチェックする（ステップ７７０）。ユーザーがスクールに入校した場合、スクールにてコーチングを受けることができる（ステップ７８０、ステップ７９０）。これにより、ユーザーにとっては、スクールに入校することで直接指導を受けられることによりゴルフ技術向上の効果を期待することができる。
【０１０６】
次に、ユーザーが有料アプリ契約する（ステップ８００）。これにより、継続して動画比較によるスイング診断とアドバイスを受けることができる。また、ユーザーがスクールに入校した場合はスクールでコーチの指導の下で撮影したスイング動画を管理サーバーからダウンロードして、場所や時間的な制約なしに閲覧することが可能になる。
【０１０７】
以上の通り、本発明にかかるゴルフレッスン支援システムにおけるフローチャートについて説明したが、上記フローチャートはユーザーがスクールに入校する又はユーザーが有料アプリ契約することを前提としたシステムの運用例であるため、これらを前提としない他の運用例について以下に説明する。
【０１０８】
図１７は、本発明の第三実施例の他の運用例を示すフローチャートである。
以降、順次ステップごとの詳細を説明する。
【０１０９】
先ず、アプリの宣伝・普及活動を受けたユーザーが、無料アプリケーションをダウンロードする（ステップ９００）。この無料アプリケーションを使用して、初回お試しユーザーは、スイング動画を撮影し（ステップ９１０、ステップ９２０）、スイング動画を１回送信して、任意のコーチからアドバイスを１回受けることができる。なお、初回の場合は、はじめに顧客管理情報（住所や名前など）の登録を行う必要があり、この顧客管理情報とスイング動画のデータが同時に管理される。
【０１１０】
次に、ユーザーがスイング動画を送信する（ステップ９３０）。スイング動画送信画面の一例については、図１４に示す内容と同様であり、顧客管理情報として、例えば、ユーザー情報（「性別」、「お住まい／ＧＰＳ機能を使用する場合の選択ボタン」、「年代」、「経験年数」）が入力され、このユーザーがスイング診断を受けたいスイング動画のデータが添付される。また、コメント記入欄に「自身の課題・問題点、その他コーチングして欲しい事など」をフリーコメントで記入できる。また、音声コメントを録音して送信することにより、ユーザーの希望を的確に伝えることもできる。
【０１１１】
次に、スイング動画送信が初回の場合は、管理サーバーに登録されているコーチ情報データベースの中から任意に選定されたコーチがスイング診断を行う（ステップ９４０）。例えば、ユーザーのスイングについて、「アドレス」「始動〜バックスイング」「トップ〜ダウンスイング」「インパクト」「フォロー〜フィニッシュ」の項目に分けてチェックする。また、スイング角度について、上述した第二実施例のフローチャートの角度自動計測ステップ（シャフトプレーンのラインを表示してそのラインと水平位置の基準線との角度を数値化する）を用いてチェックする。
【０１１２】
スイング診断画面（初回ユーザー診断）の一例については、図１５に示す内容と同様であり、顧客管理情報として登録されているユーザー情報（「性別」、「お住まい」、「年代」、「経験年数」）と、スイング診断を行った担当コーチ情報（「所属スクール店舗」、「所在地」、「連絡先」、「コーチ名」など）が表示される。ユーザーのスイング動画にはシャフトプレーンのラインが書き込まれ、そのラインと水平位置の基準線との角度が表示される。また、コメント記入欄に「ユーザーからの送信動画に対してのアドバイスポイントの解説、ユーザーの課題・問題点に対してのアドバイス、その他コーチングなど」をフリーコメントで記入できる。また、音声コメントを録音して送信することにより、コーチの指導内容を的確に伝えることもできる。
【０１１３】
次に、コーチがアドバイス・コメント情報などを送信し（ステップ９５０）、ユーザーがアドバイス・コメント情報をチェックする（ステップ９６０）。
【０１１４】
次に、前記ユーザー端末でアドバイス・コメント情報をチェックしたユーザーが継続利用を希望する場合、オンラインチケットを購入する（ステップ９７０）。このチケットを購入した後にユーザー自身がコーチ選択を行い（ステップ９２２）、そのコーチに対してスイング動画を送信する（ステップ９３０）。これにより、ユーザーは自ら選択したコーチにより継続的にスイング診断を受けられ、ユーザーはスクールに入校しなくてもコーチの指導を受けられることによりゴルフ技術向上の効果を期待することができる。
【０１１５】
スイング診断画面（継続利用ユーザー診断）の一例については、図１６に示す内容と同様であり、上述した初回ユーザー診断との違いは、継続利用ユーザー診断の場合は、過去のユーザー動画とのビフォーアフター比較や見本動画（プロ・コーチ）との自身以外の動画を比較しながらアドバイスを受けることができる。
【産業上の利用可能性】
【０１１６】
このようにタブレット型コンピューターにおける画像（静止画又は動画）を用いた顧客管理は従来の顧客管理の概念から離れ、接客そのものに使用でき、目の前ですぐに回答を出すことができる。そして、画像（静止画又は動画）を使い、色々な比較方法によりカウンセリングすることにより、明確にビフォーアフターの違いを認識でき、継続した来訪を促進することができるという産業上の大きな利用価値がある。
【符号の説明】
【０１１７】
１  タブレット型コンピューター
２  画像入力手段
３  表示手段  
４  記憶部
５  中央演算装置
６  タッチパネル
７  加工手段
８  調整手段
１０  顔（体）
１１  顔（体）
２０  顔（体）左側半分
２１  顔（体）右側半分
２２  顔（体）２１の反転画像
２３  顔（体）右側半分
３０  丸
３１  文字
４０  人物の左側半分
４１  人物の右側半分の拡大した顔（体）
４２  人物の左側半分
４３  人物の右側半分の拡大した顔（体）
４４  ４３を縮小した人物
５０  人物
５１  人物
５２  人物５０と同じ
５３  人物５１と同じ
【図１】
2014115984.tif 000003
【図２】
2014115984.tif 000004
【図３】
2014115984.tif 000005
【図４】
2014115984.tif 000006
【図５】
2014115984.tif 000007
【図６】
2014115984.tif 000008
【図７】
2014115984.tif 000009
【図８】
2014115984.tif 000010
【図９】
2014115984.tif 000011
【図１０】
2014115984.tif 000012
【図１１】
2014115984.tif 000013
【図１２】
2014115984.tif 000014
【図１３】
2014115984.tif 000015
【図１４】
2014115984.tif 000016
【図１５】
2014115984.tif 000017
【図１６】
2014115984.tif 000018
【図１７】
2014115984.tif 000019